(57)【要約】【課題】  コンパクトにして搬送を容易にし、ストレッチャーへの組付けを容易にし、その取付け位置も前後方向に可変にできるようにして、汎用性の向上を図る。【解決手段】  ストレッチャーＳのベッド部Ｓａの上方に配置可能なテーブル１と、テーブル１に回動可能に設けられ回動させられてテーブル１の下面に略沿う閉位置Ｐａ及び先端部がストレッチャーＳの補強部材Ｓｂに止着可能になるとともにテーブル１の下側にベッド部Ｓａに横臥する人が臨みうる空間Ｅを形成する開位置Ｐｂに移動可能な一対の脚部１０，２０と、脚部１０，２０の先端部に設けられ補強部材Ｓｂに先端部を止着する止着手段３０と、脚部１０，２０をテーブル１の上面を略水平状態に保持しながら同時に回動させるとともに止着手段３０により補強部材Ｓｂに止着したときその回動をロックするリンク機構４０とを備えた。【選択図】図１
2018033579.tif 000002
【特許請求の範囲】
【請求項１】
人が横臥するベッド部と、該ベッド部の幅方向両側に該ベッド部の前後方向に沿って設けられた補強部材とを備えたストレッチャーに着脱可能に設けられるストレッチャー用ラックにおいて、
上記ベッド部の上方に両側部が該ベッド部の前後方向に沿うように配置可能なテーブルと、該テーブルの両側部に夫々基端部が回動可能に設けられ回動させられて該テーブルの下面に略沿う閉位置及び先端部が上記補強部材に止着可能になるとともに上記テーブルの下側に上記ベッド部に横臥する人が臨みうる空間を形成する開位置に移動可能な一対の脚部と、該脚部の先端部に設けられ上記補強部材に該先端部を止着する止着手段と、上記脚部を上記テーブルの上面を略水平状態に保持しながら同時に回動させるとともに上記一対の脚部を各止着手段により補強部材に止着したとき該脚部の回動をロックするリンク機構とを備えて構成したことを特徴とするストレッチャー用ラック。
【請求項２】
上記一方の脚部を、前後方向に所定間隔で配置された一対の一方脚と、該一対の一方脚間に架設された一方架設杆とを備えて構成し、上記他方の脚部を、回動の際に上記一対の一方脚間に臨み得るように前後方向に所定間隔で配置された一対の他方脚と、該一対の他方脚間に架設された他方架設杆とを備えて構成したことを特徴とする請求項１記載のストレッチャー用ラック。
【請求項３】
上記リンク機構を、上記テーブルを構成する部材からなる第１リンクと、上記一方の脚部を構成する部材からなり上記第１リンクの一端部側に第１軸受孔及びこれに挿通された第１回動軸により回動可能に設けられる第２リンクと、上記他方の脚部を構成する部材からなり上記第１リンクの他端部側に第２軸受孔及びこれに挿通された第２回動軸により回動可能に設けられる第３リンクと、上記第１リンクに近接させて設けられるとともに上記第２リンクの上記第１リンク側に一端部が第３軸受孔及びこれに挿通された第３回動軸により回動可能に設けられ且つ上記第３リンクの上記第１リンク側に他端部が第４軸受孔及びこれに挿通された第４回動軸により回動可能に設けられる第４リンクとから構成したことを特徴とする請求項１または２記載のストレッチャー用ラック。
【請求項４】
上記止着手段を、上記一方及び他方の各脚の先端部に設け、該止着手段を、上記脚の軸方向に沿って移動可能に設けられ該脚の端面に対峙し該端面とともに上記補強部材を挾持可能な挾持部を備えた押え部材と、上記脚に回動軸を中心に回動可能に設けられたレバーと、一端が上記レバーの第１係止点に係止され他端が上記押え部材の第２係止点に係止されるコイルスプリングとを備えて構成し、上記第１係止点及び第２係止点の位置を、上記レバーの一方向への回動によりコイルスプリングの付勢力を解除して上記押え部材の移動を自由にし、該レバーの他方向への回動であって上記第１係止点が上記第２係止点及び上記回動軸の軸心を結んだ線上の思案点を越える他方向への回動によりコイルスプリングを引っ張ってこれに付勢力を付与して該押え部材の挾持部による挾持を行わせる位置に定めたことを特徴とする請求項１乃至３何れかに記載のストレッチャー用ラック。
【請求項５】
上記テーブルに、多数の孔を形成したことを特徴とする請求項１乃至４何れかに記載のストレッチャー用ラック。
【請求項６】
上記テーブル及び／または脚部を磁石が磁着可能な磁着材料で形成したことを特徴とする請求項１乃至５何れかに記載のストレッチャー用ラック。
【請求項７】
上記テーブルに、長さ調整可能且つ折畳可能で液体を入れたバッグを吊下可能な支柱を設けたことを特徴とする請求項１乃至６何れかに記載のストレッチャー用ラック。
【発明の詳細な説明】
【技術分野】
【０００１】
本発明は、救急患者や病人を搬送するためのストレッチャーに着脱可能に設けられ、各種医療用具等を付帯させることのできるストレッチャー用ラックに関する。
【背景技術】
【０００２】
一般に、救急車や救急医療用のヘリコプター等から病院内に救急患者や病人を搬送したりする場合に、ストレッチャーが使用されている。この種のストレッチャーは、例えば、人が横臥するベッド部と、折り畳み自在で先端に車輪を有した脚とを具備して構成されている。ところで、ストレッチャーは救急現場等において広く利用されているが、患者を搬送する際には、患者の状態に応じて各種医療用具を用いる。医療用具としては、例えば、人工呼吸器，心拍数等の計測器やそのモニター，輸血や輸液用のバッグ，尿バッグ，ポンプ類，これらとの接続用チューブ等種々のものがある。そのため、これらの医療用具をストレッチャーに付帯させるためのラックが用いられている。
【０００３】
従来、この種のストレッチャー用ラックとしては、例えば、特開２０１５−２０８４０５号公報（特許文献１）に掲載されているものが知られている。図１１に示すように、このラックＲａは、ストレッチャーＳに心拍数等の計測器やそのモニター等からなる生体情報表示装置１００を固定する装置固定部１０１と、ストレッチャーＳの後側に設けた支持穴１０２にそれぞれ挿入される両脚部１０３と、装置固定部１０１を上方に支持する支持部１０４と、支持部１０４を両脚部１０３の位置からストレッチャーＳの外側へオフセットした位置に支持する両腕部１０５と、ストレッチャーＳの端部を挟み込んで固定するクランプ部１０６とを有する。
【先行技術文献】
【特許文献】
【０００４】
【特許文献１】特開２０１５−２０８４０５号公報
【発明の概要】
【発明が解決しようとする課題】
【０００５】
しかしながら、上記従来のストレッチャー用ラックＲａにおいては、脚部１０３やクランプ部１０６が設けられた支持部１０４が装置固定部１０１に固定されているので、それだけ全体が大きくなることから、搬送しにくく、また、脚部１０３を支持穴１０２に差し込んでクランプ部１０６で固定しなければならないので、それだけ組み付けにくく操作性が悪くなっているという問題があった。この場合、複数人で操作することもできるが、特に、震災現場などで人員が不足するような環境においては、効率が極めて悪くなる。
【０００６】
更に、ラックＲａの設置位置がストレッチャーＳの後部に限定されて一義的であり、患者の疾患部位は、例えば、頭部，胸などの上半身や、足などの下半身など、種々異なり、医療用具はこれらの疾患部位との関係で、例えば疾患部位の近くに置くなど、位置を適所に定めたいが、この従来技術においてはこれに対応できないという問題があった。
更にまた、従来のラックＲａは、ストレッチャーＳの後側に設けた支持穴１０２に両脚部１０３を挿入するが、この支持穴１０２がないストレッチャーＳに対応することができず、汎用性に劣るという問題もあった。
【０００７】
本発明は上記の問題点に鑑みて為されたもので、非使用時にできるだけコンパクトにして、搬送を容易にすることができるとともに、ストレッチャーへの組付けを容易にし、しかも、ストレッチャーへの取付け位置も前後方向に可変にできるようにして、汎用性の向上を図ったストレッチャー用ラックを提供することを目的とする。
【課題を解決するための手段】
【０００８】
上記の目的を達成するためのストレッチャー用ラックは、人が横臥するベッド部と、該ベッド部の幅方向両側に該ベッド部の前後方向に沿って設けられた補強部材とを備えたストレッチャーに着脱可能に設けられるストレッチャー用ラックにおいて、
上記ベッド部の上方に両側部が該ベッド部の前後方向に沿うように配置可能なテーブルと、該テーブルの両側部に夫々基端部が回動可能に設けられ回動させられて該テーブルの下面に略沿う閉位置及び先端部が上記補強部材に止着可能になるとともに上記テーブルの下側に上記ベッド部に横臥する人が臨みうる空間を形成する開位置に移動可能な一対の脚部と、該脚部の先端部に設けられ上記補強部材に該先端部を止着する止着手段と、上記脚部を上記テーブルの上面を略水平状態に保持しながら同時に回動させるとともに上記一対の脚部を各止着手段により補強部材に止着したとき該脚部の回動をロックするリンク機構とを備えて構成している。
【０００９】
これにより、ラックの非使用時には、脚部を折畳んで閉位置にする。この場合、脚部は、テーブルの下面に略沿うので、コンパクトになり、保管，管理を容易にすることができる。また、緊急時などに、ストレッチャーとともに搬送するときも、コンパクトなので、搬送が容易になる。
【００１０】
そして、現場で使用するときには、テーブルをベッド部の所望の位置に持ちきたして、脚部を回動させて開位置にする。この際には、ベッド部の補強部材の幅に合わせて、その開度を調整しながら行なう。この場合、リンク機構はテーブルの上面を略水平状態に保持しながら脚部を同時に回動させるので、テーブルの姿勢を正規な状態に保持できる。また、脚部が同時に回動するので、別々に回動する場合に比較して、操作性が極めて良くなる。そして、脚部をベッド部の補強部材の幅に合わせて開いたならば、止着手段によって脚部の先端部を補強部材に止着する。これにより、リンク機構により脚部の回動がロックされるので、テーブルは略水平状態を保持した状態で停止する。そして、医療用具を取り付ける。
【００１１】
この場合、ラックの設置位置がストレッチャーの前後方向の所望の位置に設置できるので、患者の疾患部位、例えば、頭部，胸などの上半身や、足などの下半身などの部位に合わせて設置することができ、より適切な対応を取ることができる。特に、テーブルは、患者の上に位置するので、患者に対する医療用具の装着等を容易にすることができる。
また、ラックは、脚部を開いてこの脚部の先端部を補強部材に止着するだけで容易に組付けることができるので、組付け作業性を向上させることができる。そのため、１人でも容易に操作して組付けることができ、効率が良くなる。特に、震災現場などの人員が不足するような環境においては、有効になる。
【００１２】
更に、ストレッチャーの前後方向の所望の位置に設置できるので、従来の限られた位置に設置するものに比較して、汎用性を向上させることができる。更にまた、ラックは、脚部を開いてこの脚部の先端部を補強部材に止着するので、幅の異なるストレッチャーに対応することができ、この点でも汎用性を向上させることができる。
【００１３】
そして、本発明においては、上記一方の脚部を、前後方向に所定間隔で配置された一対の一方脚と、該一対の一方脚間に架設された一方架設杆とを備えて構成し、上記他方の脚部を、回動の際に上記一対の一方脚間に臨み得るように前後方向に所定間隔で配置された一対の他方脚と、該一対の他方脚間に架設された他方架設杆とを備えて構成したことが有効である。脚部の回動の際に一対の他方脚は一対の一方脚間に臨み得るので、一方の脚部と他方の脚部とは互いに干渉しないことから、よりコンパクトにすることができる。
【００１４】
また、必要に応じ、上記リンク機構を、上記テーブルを構成する部材からなる第１リンクと、上記一方の脚部を構成する部材からなり上記第１リンクの一端部側に第１軸受孔及びこれに挿通された第１回動軸により回動可能に設けられる第２リンクと、上記他方の脚部を構成する部材からなり上記第１リンクの他端部側に第２軸受孔及びこれに挿通された第２回動軸により回動可能に設けられる第３リンクと、上記第１リンクに近接させて設けられるとともに上記第２リンクの上記第１リンク側に一端部が第３軸受孔及びこれに挿通された第３回動軸により回動可能に設けられ且つ上記第３リンクの上記第１リンク側に他端部が第４軸受孔及びこれに挿通された第４回動軸により回動可能に設けられる第４リンクとから構成している。この場合、回動を円滑にするために、第１軸受孔及びこれに挿通された第１回動軸間に適宜遊びを設け、第２軸受孔及びこれに挿通された第２回動軸間に適宜遊びを設け、第３軸受孔及びこれに挿通された第３回動軸間に適宜遊びを設け、第４軸受孔及びこれに挿通された第４回動軸間に適宜遊びを設けることができる。
【００１５】
これにより、リンク機構は、第２リンクを構成する一方の脚部と第３リンクを構成する他方の脚部間に第４リンクを架設するだけの簡易な機構であり、また、第４リンクは第１リンクに近接させて設けられるので、軽量でより一層コンパクトにすることができ、保管，管理を容易にすることができる。また、緊急時などに、ストレッチャーとともに搬送するときも、搬送が容易になる。また、第４リンクは第１リンクに近接させて設けられるので、使用時においても、第４リンクの下側にベッド部に横臥する人が臨みうる空間を確実に形成することができる。
【００１６】
また、必要に応じ、上記止着手段を、上記一方及び他方の各脚の先端部に設け、該止着手段を、上記脚の軸方向に沿って移動可能に設けられ該脚の端面に対峙し該端面とともに上記補強部材を挾持可能な挾持部を備えた押え部材と、上記脚に回動軸を中心に回動可能に設けられたレバーと、一端が上記レバーの第１係止点に係止され他端が上記回動軸の軸心を挟んだ上記第１系支点より反対側の上記押え部材の第２係止点に係止されるコイルスプリングとを備えて構成し、上記第１係止点及び第２係止点の位置を、上記レバーの一方向への回動によりコイルスプリングの付勢力を解除して上記押え部材の移動を自由にし、該レバーの他方向への回動であって上記第１係止点が上記第２係止点及び上記回動軸の軸心を結んだ線上の思案点を越える他方向への回動によりコイルスプリングを引っ張ってこれに付勢力を付与して該押え部材の挾持部による挾持を行わせる位置に定めたことが有効である。これにより、レバーを回動させるワンタッチの操作で脚を補強部材に止着し、あるいは、止着解除ができるので、組付け作業性が向上し、また、取付け位置の変更も容易であり、取り外しも容易になるので、より一層操作性を向上させることができる。
【００１７】
更にまた、上記テーブルに、多数の孔を形成したことが有効である。孔に例えばバンドなどを引き通して、医療用具をテーブルに固定することができ、その支持を確実にすることができる。
【００１８】
また、上記テーブル及び／または脚部を磁石が磁着可能な磁着材料で形成している。マグネットを有した医療用具や、電源器具など種々の器具を磁着によりテーブルに取り付けることができる。
【００１９】
更に、上記テーブルに、長さ調整可能に且つ折畳可能で液体を入れたバッグを吊下可能な支柱を設けたことが有効である。使用時には、支柱を起立させて長さを調整すれば、輸液バッグなどの医療用具を吊下させておくことができ、極めて便利になる。また、非使用時には、短くして折畳めるので、この点でもコンパクトにすることができる。
【発明の効果】
【００２０】
本発明によれば、ラックの非使用時には、脚部を折畳んで閉位置にし、テーブルの下面に沿わせることができるので、コンパクトになり、保管，管理を容易にすることができる。また、緊急時などに、ストレッチャーとともに搬送するときも、コンパクトなので、搬送が容易になる。そして、現場で使用するときには、テーブルをベッド部の所望の位置に持ちきたして、脚部を回動させて開位置にし、脚部の先端部を補強部材に止着するだけで組付けることができ、患者の疾患部位に合わせて設置することができるので、より適切な対応を取ることができるとともに、組付けも容易になるので、組付け作業性を向上させることができる。また、ストレッチャーの前後方向の所望の位置に設置できるので、従来の限られた位置に設置するものに比較して、汎用性を向上させることができる。更に、脚部を開いてこの脚部の先端部を補強部材に止着するので、幅の異なるストレッチャーに対応することができ、この点でも汎用性を向上させることができる。
【図面の簡単な説明】
【００２１】
【図１】本発明の実施の形態に係るストレッチャー用ラックを脚部の開位置で示す斜視図である。
【図２】本発明の実施の形態に係るストレッチャー用ラックを示す分解斜視図である。
【図３】本発明の実施の形態に係るストレッチャー用ラックを脚部の閉位置で示す平面図である。
【図４】本発明の実施の形態に係るストレッチャー用ラックを脚部の閉位置で示す正面図である。
【図５】本発明の実施の形態に係るストレッチャー用ラックを脚部の閉位置で示す裏面図である。
【図６】本発明の実施の形態に係るストレッチャー用ラックを脚部の開位置で示す平面図である。
【図７】本発明の実施の形態に係るストレッチャー用ラックを脚部の開位置で示す正面図である。
【図８】本発明の実施の形態に係るストレッチャー用ラックを脚部の開位置で示す側面図である。
【図９】本発明の実施の形態に係るストレッチャー用ラックにおいて止着手段を示す要部斜視図であり、（ａ）はコイルスプリングの付勢を解除した状態を示す図、（ｂ）はコイルスプリングを引っ張ってこれに付勢力を付与して押え部材の挾持部による挾持を行わせる位置の状態を示す図である。
【図１０】本発明の実施の形態に係るストレッチャー用ラックをストレッチャーに組み付けた状態を示す斜視図である。
【図１１】従来のストレッチャー用ラックの一例をストレッチャーに取り付けた状態で示す図である。
【発明を実施するための形態】
【００２２】
以下、添付図面に基づいて本発明の実施の形態に係るストレッチャー用ラックについて詳細に説明する。
図１乃至図９に示す実施の形態に係るストレッチャー用ラックＲは、図１０に示すように、救急患者や病人を搬送するためのストレッチャーＳに着脱可能に設けられ、各種医療用具等を付帯させることのできるものである。ストレッチャーＳは、人が横臥する略矩形状の載置面を有するベッド部Ｓａと、ベッド部Ｓａの幅方向Ｘ両側にベッド部Ｓａの前後方向Ｙに沿って設けられた補強部材Ｓｂとを備えている。補強部材Ｓｂは、パイプを矩形枠状に折曲形成したもので、ベッド部Ｓａを囲繞して設けられており、ストレッチャーＳを移動させる際に、操作者が把持して操作しやすいようにしている。
【００２３】
実施の形態に係るストレッチャー用ラックＲは、ベッド部Ｓａの上方に両側部がベッド部Ｓａの前後方向Ｙに沿うように配置可能なテーブル１を備えている。テーブル１は、磁石が磁着可能な磁着材料、例えば鉄や磁性ステンレス等で形成されており、板状の本体２と、本体２の裏面に付設された補強材３とから構成されている。補強材３は本体２の前後に互いに平行に設けられる一対の縦杆４と、両縦杆４の中央に架設された横杆５とから構成されている。また、テーブル１の本体２には、多数の孔６が形成されている。孔６は、種々の大きさのもので、適宜数形成されている。
【００２４】
更に、図１及び図１０に示すように、テーブル１には、長さ調整可能且つ折畳可能で液体を入れたバッグを吊下可能な支柱７が設けられている。支柱７の基端は、長さを縮小した状態で回動可能に縦杆４に支持されており、本体２には、折畳んだ位置で支柱７を収納する収納開口８が形成されている。また、支柱７の先端には、液体を入れたバッグを吊下するための一対のフック９が付設されている。具体的には、一対のフック９は、その端部が互いに左右逆向きに回動するようにその端部の軸が支柱７の先端に軸支されており、軸を中心に一方側に回動させて折畳み可能になっている。一方側のフック９を他方側のフック９側に回動させて折畳み、その状態で支柱７を縮めて、支柱７の下端で折畳んで収納開口８内に収納する。フック９を半分のサイズに折りたたむことで、収納開口８内に収納した際に、テーブル１の上面から支柱７及びフック９が突出しないようにしている。尚、図２乃至図８においては、支柱７及び収納開口８の表示を省略している。
【００２５】
また、本ラックＲは、テーブル１の両側部に夫々基端部が回動可能に設けられ回動させられてテーブル１の下面に略沿う閉位置Ｐａ（図３乃至図５）及び先端部が補強部材Ｓｂに止着可能になるとともにテーブル１の下側にベッド部Ｓａに横臥する人が臨みうる空間Ｅを形成する開位置Ｐｂ（図１，図６乃至図８，図１０）に移動可能な一対の脚部１０，２０を備えている。各脚部１０，２０は、磁石が磁着可能な磁着材料、例えば鉄や磁性ステンレス等で形成されている。一方の脚部１０は、前後方向に所定間隔で配置された一対の一方脚１１と、一対の一方脚１１間でこれらの基端側に架設された一方架設杆１２とを備えて構成され、他方の脚部２０は、回動の際に一対の一方脚１１間に臨み得るように前後方向に所定間隔で配置された一対の他方脚２１と、一対の他方脚２１間でこれらの基端側に架設された他方架設杆２２とを備えて構成されている。
【００２６】
更に、本ラックＲは、脚部１０，２０の先端部に設けられストレッチャーＳの補強部材Ｓｂに先端部を止着する止着手段３０を備えている。止着手段３０は、一対の一方脚１１の先端部及び一対の他方脚２１の先端部に、夫々、設けられている。図９に示すように、止着手段３０は、脚１１（２１）の軸方向に沿って移動可能に設けられ脚１１（２１）の端面３１に対峙し端面３１とともに補強部材Ｓｂを挾持可能な挾持部３２を備えた押え部材３３と、押え部材３３の上側であって脚１１（２１）に回動軸３４を中心に回動可能に設けられたレバー３５と、一端がレバー３５の第１係止点３６に係止され他端が押え部材３３の第２係止点３７に係止されコイルスプリング３８とを備えて構成されている。第１係止点３６及び第２係止点３７の位置は、図９（ａ）に示すように、レバー３５の一方向ｆａへの回動によりコイルスプリング３８の付勢力を解除して押え部材３３の移動を自由にし、図９（ｂ）に示すように、レバー３５の他方向ｆｂへの回動であって第１係止点３６が第２係止点３７及び回動軸３４の軸心を結んだ線ｄ上の思案点を越える他方向への回動によりコイルスプリング３８を引っ張ってこれに付勢力を付与して押え部材３３の挾持部３２による挾持を行わせる位置に定められている。挾持部３２は、パイプからなる補強部材Ｓｂに合わせて、板材を円弧状に折曲形成したものである。脚１１（２１）の端面３１及び挾持部３２の内面には、補強部材Ｓｂに弾接するゴム等の滑り止め部材を付設することが望ましい。
【００２７】
更にまた、本ラックＲは、脚部１０，２０をテーブル１の上面を略水平状態に保持しながら同時に回動させるとともに一対の脚部１０，２０を各止着手段３０により補強部材Ｓｂに止着したとき脚部１０，２０の回動をロックするリンク機構４０を備えて構成されている。図２及び図５に示すように、リンク機構４０は、テーブル１を構成する部材（実施の形態では補強材３）からなる第１リンクＬ１と、一方の脚部１０を構成する部材からなり第１リンクＬ１の一端部側に第１軸受孔Ｈ１及びこれに挿通された第１回動軸Ｊ１により回動可能に設けられる第２リンクＬ２と、他方の脚部２０を構成する部材からなり第１リンクＬ１の他端部側に第２軸受孔Ｈ２及びこれに挿通された第２回動軸Ｊ２により回動可能に設けられる第３リンクＬ３と、第１リンクＬ１に近接させて設けられるとともに第２リンクＬ２の第１リンクＬ１側に一端部が第３軸受孔Ｈ３及びこれに挿通された第３回動軸Ｊ３により回動可能に設けられ、且つ、第３リンクＬ３の第１リンクＬ１側に他端部が第４軸受孔Ｈ４及びこれに挿通された第４回動軸Ｊ４により回動可能に設けられる棒体４１からなる第４リンクＬ４とから構成されている。
【００２８】
第１軸受孔Ｈ１は、補強材３の各縦杆４の一端部に夫々形成されているとともに、一対の一方脚１１の基端部に夫々形成されており、第１回動軸Ｊ１は、ナットで固定されるボルトで構成されている。第２軸受孔Ｈ２は、補強材３の各縦杆４の他端部に夫々形成されているとともに、一対の他方脚２１の基端部に夫々形成されており、第２回動軸Ｊ２は、ナットで固定されるボルトで構成されている。第３軸受孔Ｈ３は、一方脚１１の一方架設杆１２に形成した一方取付板４２に形成されているとともに、第４リンクＬ４の一端部に形成されており、第３回動軸Ｊ３は、ナットで固定されるボルトで構成されている。第４軸受孔Ｈ４は、一つの他方脚２１の一端から内側に延設された延設部４３に設けた他方取付板４４に形成されているとともに、第４リンクＬ４の他端部に形成されており、第４回動軸Ｊ４は、ナットで固定されるボルトで構成されている。この場合、回動を円滑にするために、第１軸受孔Ｈ１及びこれに挿通された第１回動軸Ｊ１間に適宜遊びを設け、第２軸受孔Ｈ２及びこれに挿通された第２回動軸Ｊ２間に適宜遊びを設け、第３軸受孔Ｈ３及びこれに挿通された第３回動軸Ｊ３間に適宜遊びを設け、第４軸受孔Ｈ４及びこれに挿通された第４回動軸Ｊ４間に適宜遊びを設けている。
【００２９】
従って、本実施の形態に係るラックＲによれば、以下のように作用をする。先ず、ラックＲの非使用時には、図３乃至図５に示すように、脚部１０，２０を折畳んで閉位置Ｐａにする。また、支柱７は、短くして折畳んでおく。この場合、脚部１０，２０は、テーブル１の下面に略沿うので、コンパクトになり、保管，管理を容易にすることができる。また、緊急時などに、ストレッチャーＳとともに搬送するときも、コンパクトなので、搬送が容易になる。また、閉位置Ｐａにおいては、一対の他方脚２１は一対の一方脚１１間に臨んでいるので、一方の脚部１０と他方の脚部２０とは互いに干渉しないことから、よりコンパクトにすることができる。更に、リンク機構４０は、第２リンクＬ２を構成する一方の脚部１０と第３リンクＬ３を構成する他方の脚部２０間に第４リンクＬ４を架設するだけの簡易な機構であり、また、第４リンクＬ４は第１リンクＬ１に近接させて設けられるので、軽量でより一層コンパクトにすることができ、保管，管理を容易にすることができる。また、緊急時などに、ストレッチャーＳとともに搬送するときも、搬送が容易になる。
【００３０】
そして、本ラックＲを現場で使用するときには、図１０に示すように、テーブル１をベッド部Ｓａの所望の位置に持ちきたして、図１，図６乃至図８，図１０に示すように、脚部１０，２０を回動させて開位置Ｐｂにする。この際には、ベッド部Ｓａの補強部材Ｓｂの幅に合わせて、図７に示すように、その開度を調整しながら行なう。この場合、リンク機構４０はテーブル１の上面を略水平状態に保持しながら脚部１０，２０を同時に回動させるので、テーブル１の姿勢を正規な状態に保持できる。また、脚部１０，２０が同時に回動するので、別々に回動する場合に比較して、操作性が極めて良くなる。
【００３１】
そして、脚部１０，２０をベッド部Ｓａの補強部材Ｓｂの幅に合わせて開いたならば、止着手段３０によって脚部１０，２０の先端部を止着手段３０を介して補強部材Ｓｂに止着する。これにより、リンク機構４０により脚部１０，２０の回動がロックされるので、テーブル１は略水平状態を保持した状態で停止する。即ち、図９（ａ）に示すように、レバー３５を一方向ｆａへ回動させて、コイルスプリング３８の付勢力を解除して押え部材３３の移動を自由にしておき、この状態で、パイプからなる補強部材Ｓｂに対して、脚１１（２１）の端面３１とこれに対峙した押え部材３３の挾持部３２との間隙を挿通し、それから、図９（ｂ）に示すように、レバー３５を他方向ｆｂへ回動させる。これにより、第１係止点３６が第２係止点３７及び回動軸３４の軸心を結んだ線ｄ上の思案点を越え、コイルスプリング３８が引っ張られて付勢力が付与されるので、脚１１（２１）の端面３１と押え部材３３の挾持部３２とにより、補強部材Ｓｂが挾持される。この場合、レバー３５を回動させワンタッチの操作で脚１１（２１）を補強部材Ｓｂに止着できるので、組付け作業性が向上し、より一層操作性を向上させることができる。
【００３２】
また、この場合、レバー３５を回動させるワンタッチの操作で脚１１（２１）の止着解除もできるので、取り外しも容易になることから、取付け位置の変更も容易になる。そのため、ラックＲの設置位置がストレッチャーＳの前後方向の所望の位置に設置できるので、患者の疾患部位、例えば、頭部，胸などの上半身や、足などの下半身などの部位に合わせて設置することができ、より適切な対応を取ることができる。特に、テーブル１は、患者の上に位置するので、患者に対する医療用具の装着等を容易にすることができる。
また、ラックＲは、脚部１０，２０を開いてこの脚部１０，２０の先端部を止着手段３０を介して補強部材Ｓｂに止着するだけで容易に組付けることができるので、組付け作業性を向上させることができる。そのため、１人でも容易に操作して組付けることができ、効率が良くなる。特に、震災現場などの人員が不足するような環境においては、有効になる。
【００３３】
更に、ストレッチャーＳの前後方向の所望の位置に設置できるので、従来の限られた位置に設置するものに比較して、汎用性を向上させることができる。更にまた、ラックＲは、脚部１０，２０を開いてこの脚部１０，２０の先端部を止着手段３０を介して補強部材Ｓｂに止着するので、幅の異なるストレッチャーＳに対応することができ、この点でも汎用性を向上させることができる。
【００３４】
そして、ラックＲをストレッチャーＳに取り付けた状態では、リンク機構４０において、第４リンクＬ４は第１リンクＬ１に近接させて設けられるので、第４リンクＬ４の下側にベッド部Ｓａに横臥する人が臨みうる空間Ｅを確実に形成することができる。この状態において、本ラックＲに医療用具等を取り付ける。この場合、テーブル１に、多数の孔６が形成されているので、この孔６に例えばバンドなどを引き通して、医療用具をテーブル１に固定することができ、その支持を確実にすることができる。テーブル１及び脚部１０，２０が磁石が磁着可能な磁着材料で形成されているので、マグネットを有した医療用具や、電源器具など種々の器具を磁着によりテーブル１に取り付けることができる。更に、テーブル１に、長さ調整可能に且つ折畳可能で液体を入れたバッグを吊下可能な支柱７が設けられているので、図１に示すように、支柱７を起立させて長さを調整すれば、輸液バッグなどの医療用具を吊下させておくことができ、極めて便利になる。
【００３５】
尚、上記実施の形態において、止着手段３０は、上述した構成に限定されるものではなく、適宜変更して差支えない。また、リンク機構４０は、上述した構成に限定されるものではなく、適宜変更して差支えない。要するに、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００３６】
Ｒ  ストレッチャー用ラック
Ｓ  ストレッチャー
Ｓａ  ベッド部
Ｓｂ  補強部材
Ｘ  幅方向
Ｙ  前後方向
１  テーブル
２  本体
３  補強材
４  縦杆
５  横杆
６  孔
７  支柱
８  収納開口
９  フック
１０  脚部
１１  一方脚
１２  一方架設杆
２０  脚部
２１  他方脚
２２  他方架設杆
Ｐａ  閉位置
Ｐｂ  開位置
Ｅ  空間
３０  止着手段
３１  端面
３２  挾持部
３３  押え部材
３４  回動軸
３５  レバー
３６  第１係止点
３７  第２係止点
３８  コイルスプリング
４０  リンク機構
Ｌ１  第１リンク（縦杆４）
Ｌ２  第２リンク（一方脚１１）
Ｌ３  第３リンク（他方脚２１）
Ｌ４  第４リンク（棒体４１）
Ｈ１  第１軸受孔
Ｈ２  第２軸受孔
Ｈ３  第３軸受孔
Ｈ４  第４軸受孔
Ｊ１  第１回動軸
Ｊ２  第２回同軸
Ｊ３  第３回動軸
Ｊ４  第４回動軸
４１  棒体
４２  一方取付板
４３  延設部
４４  他方取付板
【図１】
2018033579.tif 000003
【図２】
2018033579.tif 000004
【図３】
2018033579.tif 000005
【図４】
2018033579.tif 000006
【図５】
2018033579.tif 000007
【図６】
2018033579.tif 000008
【図７】
2018033579.tif 000009
【図８】
2018033579.tif 000010
【図９】
2018033579.tif 000011
【図１０】
2018033579.tif 000012
【図１１】
2018033579.tif 000013
【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
人が横臥するベッド部と、該ベッド部の幅方向両側に該ベッド部の前後方向に沿って設けられた補強部材とを備えたストレッチャーに着脱可能に設けられるストレッチャー用ラックにおいて、
上記ベッド部の上方に両側部が該ベッド部の前後方向に沿うように配置可能なテーブルと、該テーブルの両側部に夫々基端部が回動可能に設けられ回動させられて該テーブルの下面に略沿う閉位置及び先端部が上記補強部材に止着可能になるとともに上記テーブルの下側に上記ベッド部に横臥する人が臨みうる空間を形成する開位置に移動可能な一対の脚部と、該脚部の先端部に設けられ上記補強部材に該先端部を止着する止着手段と、上記脚部を上記テーブルの上面を略水平状態に保持しながら同時に回動させるとともに上記一対の脚部を各止着手段により補強部材に止着したとき該脚部の回動をロックするリンク機構とを備えて構成し、
上記一方の脚部を、前後方向に所定間隔で配置された一対の一方脚と、該一対の一方脚間に架設された一方架設杆とを備えて構成し、上記他方の脚部を、回動の際に上記一対の一方脚間に臨み得るように前後方向に所定間隔で配置された一対の他方脚と、該一対の他方脚間に架設された他方架設杆とを備えて構成し、
上記リンク機構を、上記テーブルを構成する部材からなる第１リンクと、上記一方の脚部を構成する部材からなり上記第１リンクの一端部側に第１軸受孔及びこれに挿通された第１回動軸により回動可能に設けられる第２リンクと、上記他方の脚部を構成する部材からなり上記第１リンクの他端部側に第２軸受孔及びこれに挿通された第２回動軸により回動可能に設けられる第３リンクと、上記第１リンクに近接させて設けられるとともに上記第２リンクの上記第１リンク側に一端部が第３軸受孔及びこれに挿通された第３回動軸により回動可能に設けられ且つ上記第３リンクの上記第１リンク側に他端部が第４軸受孔及びこれに挿通された第４回動軸により回動可能に設けられる棒体からなる第４リンクとから構成したことを特徴とするストレッチャー用ラック。
【請求項２】
上記止着手段を、上記一方及び他方の各脚の先端部に設け、該止着手段を、上記脚の軸方向に沿って移動可能に設けられ該脚の端面に対峙し該端面とともに上記補強部材を挾持可能な挾持部を備えた押え部材と、上記脚に回動軸を中心に回動可能に設けられたレバーと、一端が上記レバーの第１係止点に係止され他端が上記押え部材の第２係止点に係止されるコイルスプリングとを備えて構成し、上記第１係止点及び第２係止点の位置を、上記レバーの一方向への回動によりコイルスプリングの付勢力を解除して上記押え部材の移動を自由にし、該レバーの他方向への回動であって上記第１係止点が上記第２係止点及び上記回動軸の軸心を結んだ線上の思案点を越える他方向への回動によりコイルスプリングを引っ張ってこれに付勢力を付与して該押え部材の挾持部による挾持を行わせる位置に定めたことを特徴とする請求項１記載のストレッチャー用ラック。
【請求項３】
上記テーブルに、多数の孔を形成したことを特徴とする請求項１または２記載のストレッチャー用ラック。
【請求項４】
上記テーブル及び／または脚部を磁石が磁着可能な磁着材料で形成したことを特徴とする請求項１乃至３何れかに記載のストレッチャー用ラック。
【請求項５】
上記テーブルに、長さ調整可能且つ折畳可能で液体を入れたバッグを吊下可能な支柱を設けたことを特徴とする請求項１乃至４何れかに記載のストレッチャー用ラック。
【手続補正２】
【補正対象書類名】明細書
【補正対象項目名】００１４
【補正方法】変更
【補正の内容】
【００１４】
また、必要に応じ、上記リンク機構を、上記テーブルを構成する部材からなる第１リンクと、上記一方の脚部を構成する部材からなり上記第１リンクの一端部側に第１軸受孔及びこれに挿通された第１回動軸により回動可能に設けられる第２リンクと、上記他方の脚部を構成する部材からなり上記第１リンクの他端部側に第２軸受孔及びこれに挿通された第２回動軸により回動可能に設けられる第３リンクと、上記第１リンクに近接させて設けられるとともに上記第２リンクの上記第１リンク側に一端部が第３軸受孔及びこれに挿通された第３回動軸により回動可能に設けられ且つ上記第３リンクの上記第１リンク側に他端部が第４軸受孔及びこれに挿通された第４回動軸により回動可能に設けられる棒体からなる第４リンクとから構成している。この場合、回動を円滑にするために、第１軸受孔及びこれに挿通された第１回動軸間に適宜遊びを設け、第２軸受孔及びこれに挿通された第２回動軸間に適宜遊びを設け、第３軸受孔及びこれに挿通された第３回動軸間に適宜遊びを設け、第４軸受孔及びこれに挿通された第４回動軸間に適宜遊びを設けることができる。